(57)【要約】      （修正有）【課題】ラインと揺動体とが絡みにくく、遊動錘と揺動体との合体（近接）および離脱を円滑に行えるようにする遊動錘用広がり抑制体を提供する。【解決手段】ライン１０を貫通させるライン用孔２１を備えた遊動錘２０と、ラインに固定された釣り針１１およびその釣り針を覆う揺動体１５とを備える魚釣り用仕掛けにおいて、遊動錘と揺動体との間に位置させて揺動体の広がりを抑制する広がり抑制体３０であって、その広がり抑制体は、ラインを引っ張ることによって遊動錘および揺動体が近づいた場合に揺動体の広がりを抑制する抑制部３２を備える。抑制部は、たとえば漏斗形状とし、遊動錘側がライン用孔の内径よりも小さく、揺動体側がライン用孔の内径よりも大きい筒状に形成する。【選択図】図１
0003194185.tif 000002
【実用新案登録請求の範囲】
【請求項１】
ラインを貫通させるライン用孔を備えた遊動錘と、前記のラインに固定された釣り針およびその釣り針を覆う揺動体とを備える魚釣り用仕掛けにおいて、前記の遊動錘と前記の揺動体との間に位置させて揺動体の広がりを抑制する広がり抑制体であって、
その広がり抑制体は、ラインを引っ張ることによって前記の遊動錘および前記の揺動体が近接した場合に揺動体の広がりを抑制する抑制部を備えた遊動錘用広がり抑制体。
【請求項２】
前記の抑制部は、漏斗形状とし、
その漏斗形状は、遊動錘側が前記のライン用孔の内径よりも外径が小さい筒状とするとともに、揺動体側の外径が前記のライン用孔の内径よりも筒外径が大きくなるように形成した請求項１に記載の遊動錘用広がり抑制体。
【請求項３】
前記の広がり抑制体は、前記のラインよりも硬質な材質にて形成するとともに、
前記の漏斗形状をした抑制部の外径がライン用孔の内径よりも小さい筒状部分から、ライン用孔の内径よりも大きくなる部分までの寸法は、ライン用孔の軸方向長さよりも長くなるように形成した請求項２に記載の遊動錘用広がり抑制体。
【考案の詳細な説明】
【技術分野】
【０００１】
本考案は、遊動式の錘とスカートやネクタイなどの疑似餌とを用いる釣り用仕掛けに関する。
【背景技術】
【０００２】
従来から、魚釣りにおいては、生き餌を使う釣りの他、疑似餌を用いることも多い。
疑似餌は、小魚、昆虫、エビなどを模した形状の他、ゴム製帯状のいわゆるスカートやネクタイ、なども一般的に用いられる。これらの疑似餌は、金属製の錘、および金属の釣り針と組み合わせて用いられる。ゴム製帯状のスカートやネクタイは、「揺動体」と呼ばれることもある。
【０００３】
さて、鯛釣り用の擬似餌は、魚が、海中において揺らぐスカートおよびネクタイにより誘き寄せられ、釣り針に引っ掛かったところで、釣り上げられるような仕掛けになっている。
例えば、特許文献１においては、仕掛けが絡むことを防止する釣り用錘が示されている。また、特許文献２においては、水中からの魚信を感じ取りやすい釣り用仕掛けおよび錘が示されている。
【０００４】
一方、遊動式の錘を用いた仕掛けは、たとえばタイラバ釣りに用いられる。錘だけを水底へ着かせたり、仕掛けとは別に水底へ着いた錘を動かして対象魚を誘ったり、とバリエーションに飛んだ操作をして、対象魚である鯛を狙うのである。
【０００５】
スカートやネクタイといった揺動体は魚を誘き寄せる役割を果たすが、釣り針に魚が引っ掛かる前に、食いちぎられてしまうことが多く、消耗が著しい。また、釣り針も紛失や変形などが生じるので、交換作業が必要となっていた。また、交換作業において、釣り糸を切断してからスカートやネクタイを取り替える必要があると、交換する度に道糸（ライン）が短くなるという不都合も生じる。
特許文献３に開示された技術は、こうした不都合を解消することに寄与する。
【先行技術文献】
【特許文献】
【０００６】
【特許文献１】特開２００６−１８０８１７号公報
【特許文献２】特許第３８１０４１０号公報
【特許文献３】特開２０１３−２４７８９２号公報
【考案の概要】
【考案が解決しようとする課題】
【０００７】
スカートやネクタイといった揺動体は、遊動錘と組み合わせる場合、以下のような不都合が生じる。
第一に、遊動錘と揺動体とが離れている場面から近づけていく場合、揺動体が広がってしまっていては近づけにくい。特に、道糸（メインライン）と揺動体とが絡まってしまうと、釣り人が意図しているように操作できなくなってしまう。
第二に、揺動体へ結んだラインの結び目があるが、遊動錘と揺動体と近づける場合においてその結び目に対して何らかの外力やダメージがあると、ラインの結び目が破損するなどして揺動体がバラバラになってしまう。
【０００８】
前述した先行技術では、上述の不都合を解決するには不足している。誘導錘を用いる仕掛けには共通する課題と言えるが、どの先行技術も決定的なものではなかった。
本考案が解決しようとする課題は、道糸（ライン）と揺動体とが絡みにくく、道糸および道糸の結び目を保護し、遊動錘と揺動体との合体（近接）および離脱を円滑に行える技術を提供することにある。
【課題を解決するための手段】
【０００９】
（第一の考案）
ライン(10)を貫通させるライン用孔(21)を備えた遊動錘(20)と、前記のライン(10)に固定された釣り針(11)およびその釣り針(11)を覆う揺動体(15)とを備える魚釣り用仕掛けにおいて、前記の遊動錘(20)と前記の揺動体(15)との間に位置させて揺動体(15)の広がりを抑制する広がり抑制体(30)に係る。
その広がり抑制体(30)は、ライン(10)を引っ張ることによって前記の遊動錘(20)および前記の揺動体(15)が近接した場合に揺動体(15)の広がりを抑制する抑制部(32)を備える。
【００１０】
（作用）
ライン(10)を引っ張ると、遊動錘(20)および揺動体(15)が近接する（図1では、遊動錘(20)へ揺動体(15)が近づく）。そのとき、抑制部(32)が揺動体(15)の広がりを抑制する。そのため、揺動体(15)がライン(10)と絡みにくい。その結果、ライン(10)の結び目が保護されることとなる。
また、遊動錘(20)と揺動体(15)とを合体させたり離脱させたりする動作も円滑となる。
【００１１】
（第一の考案のバリエーション１）
第一の考案は、以下のようなバリエーションを提供することもできる。
前記の抑制部(32)は、漏斗形状とする。そして、その漏斗形状は、遊動錘(20)側の外径が前記のライン用孔(21)の内径よりも小さい筒状とするとともに、揺動体(15)側の外径が前記のライン用孔(21)の内径よりも大きくなるように形成する。
【００１２】
（作用）
ライン(10)を引っ張ることによって遊動錘(20)および揺動体(15)が（図1では、遊動錘(20)へ揺動体(15)が）へ近接した場合、ライン用孔(21)の内径よりも小さい筒状部分は、遊動錘(20)のライン用孔(21)の内部に位置する。そして、ライン用孔(21)の内径よりも大きく形成された部位によって揺動体(15)は広がりを抑制される。
【００１３】
（第一の考案のバリエーション２）
第一の考案におけるバリエーション１は、以下のようなバリエーションを更に提供することもできる。
前記の広がり抑制体(30)は、前記のライン(10)よりも硬質な材質にて形成する。そして、前記の漏斗形状をした抑制部(32)の外径がライン用孔(21)の内径よりも小さい筒状部分から、ライン用孔(21)の内径よりも大きくなる部分(ライン用孔挿入筒部31)までの寸法は、ライン用孔(21)の軸方向長さよりも長くなるように形成するのである。
広がり抑制体(30)は、その端面を面取りしていると、ラインを傷つけにくくなるので、好ましい。
【００１４】
（作用）
ライン(10)を引っ張ることによって遊動錘(20)および揺動体(15)が近づいた場合、ライン用孔(21)の内径よりも小さい筒状部分は、遊動錘(20)のライン用孔(21)の内部を貫通する。そのため、抑制部(32)の外径がライン用孔の内径よりも小さい筒部分から、ライン用孔(21)の内径よりも大きくなる部分（ライン用孔挿入筒部31）までの寸法がライン用孔(21)の軸方向長さよりも長いので、ライン用孔(21)端面部にライン（10）が接することを避けられる。
広がり抑制体(30)は、ライン(10)よりも硬質であるが、ラインに対し、錘を形成する金属に比べたらダメージを与えない材質にて形成されていることで、傷つきにくくなる。
【考案の効果】
【００１５】
第一の考案によれば、ラインと揺動体とが絡みにくく、道糸および道糸の結び目を保護でき、遊動錘と揺動体との合体（近接）および離脱を円滑に行える技術を提供することができた。
【図面の簡単な説明】
【００１６】
【図１】本考案に係る第一の実施形態を示す斜視図である。
【考案を実施するための形態】
【００１７】
以下、本考案の実施形態について図面を参照して説明する。ここで使用するのは、図１である。
【００１８】
（図１）
図１に基づいて、第一の実施形態を説明する。
図１に示す第一の実施形態は、鯛釣り用の仕掛けであって、遊動錘２０と揺動体１５との組み合わせによって形成される。
すなわち、ライン１０を貫通させるライン用孔２１を備えた遊動錘２０と、前記のライン１０に固定された釣り針１１およびその釣り針１１を覆う揺動体１５とを備える鯛釣り用仕掛けである。
【００１９】
この鯛釣り用仕掛けにおける遊動錘２０と揺動体１５との間には、揺動体１５の広がりを抑制する広がり抑制体３０を位置させている。
この広がり抑制体３０は、筒状部分と、その筒状部分から連続した漏斗状部分とを備え、軟質の合成樹脂で形成されている。
前記の筒状部分とは、抑制体３０の遊動錘２０側に位置し、ライン用孔２１の内径よりも小さい外径をなす。そして、この筒状部分はライン用孔２１へ挿入可能となる部位であるので、ライン用孔挿入筒部３１とする。
【００２０】
広がり抑制体３０の抑制部３２は、前述したように漏斗形状であり、その漏斗形状の外径は揺動体１５側がライン用孔２１の内径よりも大きくなるように形成されている。このような形状をなすことで、ライン１０を引っ張ることによって遊動錘２０および前記の揺動体１５が近づいた場合に、揺動体１５の広がりを抑制することとなる。
【００２１】
ライン用孔挿入筒部３１の軸方向寸法は、ライン用孔２１の軸方向長さよりも長くなるように形成している。また、抑制部３２の外径がライン用孔の内径よりも小さい筒部分から、ライン用孔２１の内径よりも大きくなる部分（ライン用孔挿入筒部３１）までの寸法がライン用孔２１の軸方向長さよりも長い。そのため、ライン用孔２１への端面部にライン１０が接することを避けることができる。広がり抑制体３０は、ライン１０よりも硬い材質である金属錘へ直接触れることがなくなり、ライン10へ負荷が掛かった状態であってもライン１０が傷つきにくくなる。
【００２２】
ライン１０を引っ張ることによって遊動錘２０へ前記の揺動体１５が近づいても、揺動体１５がライン１０と絡みにくい。その結果、ライン１０の結び目が保護される。揺動体１５を結んだライン１０の結び目が、漏斗の抑制部３２へ引き込まれることによって、遊動錘２０のライン用孔２１の端面へ直接触れることがないため、ダメージを受けにくいからである。
また、遊動錘２０と揺動体１５とを合体させたり、離脱させたりする動作も円滑となる。
【００２３】
図示は省略するが、中通し孔（前述の実施形態におけるライン用孔２１）を備えた遊動錘に対して、パイプ状部材（前述の実施形態における広がり抑制体）を予め固定した遊動錘を提供することも可能である。
【産業上の利用可能性】
【００２４】
本考案は、釣り具の製造業、販売業またはレンタル業、アウトドアスポーツのインストラクター事業などにおいて、利用可能性を有する。
【符号の説明】
【００２５】
１０；  ライン（釣り糸における道糸）
１１；  釣り針                            １５；  揺動体
２０；  遊動錘                            ２１；  ライン用孔
３０，３０ａ；  広がり抑制体
３１；  ライン用孔挿入筒部                ３２；  漏斗状部
３３；  ライン孔ストッパ
【図１】
0003194185.tif 000003